(57)【要約】【課題】軒樋と竪樋を接続して雨水の排水経路を形成するにあたり、経路を形成する部材の端部間を、接着剤を用いることなく確実且つ水密に接続して一体に固定することができ、修理の際には必要な部材のみを交換することができるようにする。【解決手段】軒樋排水装置１を、前壁面２２に排水口２５を備えた上合２と、下部に雨水落とし口を有するとともに後壁面３２に前記排水口２５に接続する開口３３を備えた受水升３により構成する。上合２の排水口２５の周囲は前壁面２２から外方へ突出した突枠部２６で囲い、受水升３の開口３３はこの突枠部２６の外周に篏合するように設ける。突枠部２６には受水升３の後壁面３２の内側に係合する係合部２７を設け、係合部２７を受水升３に係合させて上合２に受水升３を装着固定し、係合を解除することで受水升３を上合２から分離可能とする。【選択図】図２
2019035270.tif 000002
【特許請求の範囲】
【請求項１】
前壁面に排水口を備えた上合と、下部に雨水落とし口を有するとともに後壁面に前記排水口に接続する開口を備えた受水升からなる軒樋排水装置であって、
前記上合の排水口の周囲が前記前壁面から外方へ突出した突枠部で囲われ、前記受水升の開口がこの突枠部の外周に篏合するように設けられているとともに、
この突枠部に、当該突枠部に開口が篏合した前記受水升の後壁面の内側に係合する係合部が備えられ、
前記係合部が受水升に係合することで上合に受水升が一体に装着固定され、受水升との係合を解除することで受水升と上合が分離するように設けられた構成を有することを特徴とする軒樋排水装置。
【請求項２】
突枠部中に、両側をスリットによって区画した突片部が設けられ、この突片部の先端外面にテーパ状の係止爪を設けて係合部が形成されてなる請求項１に記載の軒樋排水装置。
【請求項３】
突枠部の上辺に係合部を設けた請求項１又は２に記載の軒樋排水装置。
【請求項４】
突枠部の左右側辺に係合部をそれぞれ設けた請求項１又は２に記載の軒樋排水装置。
【発明の詳細な説明】
【技術分野】
【０００１】
本発明は、屋根を伝い軒先に取り付けられた軒樋に流れ落ちた雨水を、軒樋から竪樋に流入させて地上へと流し下すための装置の構造に関する。
【背景技術】
【０００２】
屋根面を流れる雨水を集めて地面や下水に導く雨樋において、屋根から軒樋に流れ落ちた雨水は軒の途中に設けられた落とし口である集水器や集水機能を備えた軒樋継手を通して竪樋へと流入し、竪樋から地上に流し下される。
【０００３】
かかる集水器や軒樋継手としては、底面部に排水口を備えた形状のものが多く用いられ、この排水口に建物の外壁に鉛直に取り付けられた竪樋を直に接続し、或いは呼び樋やエルボを介して接続して雨水の排水経路を形成している（例えば特許文献１，２参照）。
【先行技術文献】
【特許文献】
【０００４】
【特許文献１】特開平５−２６３５０８号公報
【特許文献２】特開２００４‐３０８３９９号公報
【発明の開示】
【発明が解決しようとする課題】
【０００５】
従来の雨樋は、前記排水経路を形成する軒樋や集水器、竪樋などの各部材がそれぞれの接続部位を接着剤で接着固定して取り付ける構造のものであり、そのため、施工後に、例えば雨水の流路にゴミが詰まるなどして雨樋が破損し、軒樋、集水器や軒樋継手又は竪樋の何れかを交換する必要が生じた場合に、排水経路上の各部材が一体に接着固定されているため、何れかの部材のみを部分的に交換して修理することができなかった。
【０００６】
集水器や軒樋継手の前壁面側に排水口を設け、この排水口に竪樋を接続して軒樋の前面側に竪樋が配置されるように雨水の排水経路を構成する場合も、前記と同様に、軒樋や集水器、竪樋などの各部材が接続部位を接着剤で接着固定して取り付けており、排水経路上の何れかの部材を部分的に交換することができなかった。軒樋と竪樋の何方かを交換すれば済む修理でも、両樋の端部が一体に接着固定された集水器などを交換する部材とともに交換しなければならないため、交換する部材のコストが余計にかかり交換作業も手間を要するものであった。
【０００７】
本発明は従来の技術が有するこのような問題点に鑑み、軒樋と竪樋を接続して雨水の排水経路を形成するにあたり、経路を形成する部材の端部間を、接着剤を用いることなく確実且つ水密に接続して、部材同士を一体に固定することができ、修理の際には必要な部材のみを交換することができるようにすることを課題とする。
【課題を解決するための手段】
【０００８】
前記課題を解決するため本発明は、軒樋と竪樋を接続する部材である軒樋排水装置を、軒樋が接続する上合と竪樋が接続する受水升の二つの部材により構成するとともに、受水升を上合に装着して、接着剤を用いずに一体に固定することができるように構成した。
【０００９】
すなわち、本発明は、前壁面に排水口を備えた上合と、下部に雨水落とし口を有するとともに後壁面に前記排水口に接続する開口を備えた受水升からなる雨水排水装置であって、
前記上合の排水口の周囲が前記前壁面から外方へ突出した突枠部で囲われ、前記受水升の開口がこの突枠部の外周に篏合するように設けられているとともに、
この突枠部に当該突枠部に開口が篏合した前記受水升の後壁面の内側に係合する係合部が備えられ、
前記係合部が受水升に係合することで上合に受水升が一体に装着固定され、受水升との係合を解除することで受水升と上合が分離するように設けられた構成を有することを特徴とする。
【００１０】
これによれば、上合の突枠部に受水升の開口を宛がい、突枠部外周に開口を篏合させるともに、突枠部に設けられた係合部を受水升の後壁面に係合させることで、上合に受水升を取り付けることができる。
上合に取り付けられた受水升は、その開口が上合の排水口に繋がり、軒樋から上合に流入した雨水を、その排水口から受水升内へと受け入れ、雨水落とし口から竪樋に流入させて地上に流し下すことができる。受水升は、その開口内面を上合の排水口の輪郭に沿って設けられた突枠部の外周面に篏合させて装着されて、前記排水口と開口の接続部は隙間なく密閉されるので、排水口から開口を通る雨水が接続部から漏れ出ることはない。
また、係合部の受水升に対する係合を解除することで、受水升と上合を分離することができるので、雨水の流路にゴミが詰まるなどして、軒樋と竪樋の何れかを交換して雨樋を修理する必要が生じたときは、上合に固定されていた受水升を取り外して両部材を分離することで、一方の部材のみを交換して修理することが可能となる。
【００１１】
前記構成の軒樋排水装置において、上合の突枠部に設ける係合部は、当該突枠部中に両側をスリットによって区画した突片部を設け、この突片部の先端外面にテーパ状の係止爪を設けて形成することができる。
これによれば、受水升を上合に取り付ける際に、上合の突枠部外周に開口を宛がって受水升を上合側へ押し込めば、係合部の突片部先端の係止爪が受水升の開口縁部に当接し、前記押し込みに伴って突片部が内方へ弾性変形し、係止爪が前記開口縁部を乗り越えるまで押し込むと突片部が外方へ弾性変形して、係止爪が開口縁部内面である受水升の後壁面内側に係合し、受水升の開口が突枠部の外周に篏合した位置に受水升を固定することができる。
一方、係合部が受水升の後壁面に係合している状態で、受水升の内側から前記係止爪を内方へ押して突片部を弾性変形させることで係合部の係合が解除され、係合が解除した状態で受水升を引き抜けば、上合と受水升を分離させることが可能である。
なお、前記係合部は、突枠部の上辺に設けたり、突枠部の左右側辺にそれぞれ設けたりすることができる。
【００１２】
本発明の雨樋排水装置を構成する上合と受水升は、例えばポリカーボネート、塩化ビニル、ポリプロピレンなどの合成樹脂材料を用い、射出成形などによって形成することができる。
【図面の簡単な説明】
【００１３】
【図１】本発明の一実施形態の軒樋排水装置を用いて軒樋と竪樋を接続した状態の要部外観図である。
【図２】図１の部材を展開して示した外観図である。
【図３】図１の軒樋排水装置の上合の拡大外観図である。
【図４】図１の軒樋排水装置の上合と受水升を分離した状態の縦断面図である。
【図５】図４の状態から上合に受水升を取り付ける過程を示した縦断面図である。
【図６】図５の状態の上合の係合部と受水升の開口の拡大縦断面図（Ａ）と係合部が受水升に係合した状態の拡大縦断面図（Ｂ）である。
【図７】図１の軒樋排水装置の上合と受水升が接続した状態の縦断面図である。
【図８】本発明の他の実施形態の軒樋排水装置の外観図である。
【図９】図８の部材を展開して示した外観図である。
【図１０】（Ａ），（Ｂ）及び（Ｃ）は図８の軒樋排水装置における上合に受水升を接続する過程を示した横断面図である。
【発明を実施するための形態】
【００１４】
以下、本発明の好適な実施の形態を、図面を参照して説明する。
図１は本発明の一実施形態の軒樋排水装置を用いて軒樋と竪樋を接続した状態の要部外観、図２はその部材を展開した状態の外観をそれぞれ示しており、図示されるように、この軒樋排水装置１は、軒樋４，４が接続する上合２と竪樋５が接続する受水升３の二つの部材により形成され、受水升３を上合２に装着して、接着剤を用いずに一体に固定することができるように構成してある。
【００１５】
詳しくは、軒樋排水装置１を構成する上合２は、底面部２１の前後端部から前壁面２２と後壁面２３をそれぞれ立ち上げて側面視略々Ｕ字形をなし、その左右両側に軒樋４の端部が外篏合して接続する接続口２４，２４を備え、前壁面２２の中央部に縦長矩形状に開口していて軒樋４内の水を竪樋５へと流入させるための排水口２５を設けるとともに、排水口２５が形成された前壁面２２の表面に、排水口２５の輪郭に沿って略垂直に外方へ鍔状に突出していて上辺部に受水升４に係合する係合部２７を一体に備えた突枠部２６を設けて形成してある。
【００１６】
図３に示されるように、上合２の係合部２７は、突枠部２６の上辺をその両端部に形成されたスリット２７ａ，２７ａで区画するとともに、両スリット２７ａ，２７ａ間に、先端から前壁面２２側に向けて漸次テーパ状に厚みを増した係止爪２７ｃを先端部外面に設けた突片部２７ｂを配置した形状に設けてある。
係止爪２７ｃは、その最も厚肉な根本部と前壁面２２との間に、受水升３の後壁面３３が略一杯に差し込まれる寸法に形成してある。
【００１７】
同じく軒樋排水装置１を構成する受水升３は、下部に雨水落とし口を有して筒状に形成されており、前記雨水落とし口に面して竪樋５の端部が接続する接続口３１を設けるとともに、軒に向き合って平坦な面で形成された後壁面３２内に、前記上合２の排水口２５に接続する開口３３を設けて形成してある。
開口３３は、排水口２５と同様に縦長矩形状に開けられ、その内周が上合２の突枠部２６の外周に篏合する大きさに形成してある。
受水升３の上端は開口してあるが、上端開口を閉鎖する蓋体やゴミ除け用の通水カバー体を着脱自在に取り付けられていてもよい。
【００１８】
本形態の軒樋排水装置１は、上記のような上合２と受水升３の二つの部材により構成されており、両部材の接続は以下のようにして行うことができる。
先ず、予め上合２の接続口２４，２４に軒樋４，４の端部を接続固定し、受水升３の接続口３１に竪樋５の上端を接続固定しておく。接続固定は、それぞれの接続口２４，３１と両樋４，５の端部接合面に接着剤を塗布して行う。
【００１９】
軒樋４，４が上合２に、竪樋５が受水升３に接続されたならば、図４に示されるように、上合２の突枠部２６に受水升３の開口３３を向き合わせて平行に配置する。
次いで、図５に示されるように、受水升３をその開口３３の周縁部が突枠部２６の上端に接するように宛がい、開口３３の周縁部を突枠部２６の上端に当接させたまま受水升３を上合２側へ押し込む。
【００２０】
すると、図６（Ａ）に示されるように、受水升３の上合２側への押し込みに伴って、受水升３の開口３３の縁部に係止爪２７ｃが当接した係合部２７の突片部２７が排水口２５の内方へ弾性変形し、さらに係止爪２７ｃが前記開口３３の縁部を乗り越えるまで受水升３を押し込むと、同図（Ｂ）に示されるように、突片部２７ｂが排水口２５の外方へ弾性変形して、係止爪２７ｃが開口３３の縁部内面である受水升３の後壁面３２の内側に係合し、これにより、受水升３をその開口３３を突枠部２６の外周に篏合させた位置に固定して上合２に取り付けることができる。
【００２１】
上合２に取り付けられた受水升３は、その開口３３内に上合２の突枠部２６が進出して排水口２５に繋がり、軒樋４から上合２に流入した雨水を、その排水口２５から受水升３内へと受け入れ、雨水落とし口から竪樋５に流入させて地上に流し下すことができる。受水升３は、その開口３３内面を上合２の突枠部２６の外周面に篏合させて装着されており、排水口２５と開口３３の接続部は隙間なく密閉されるので、排水口２５から開口３３を通る雨水が接続部から漏れ出ることはない。
【００２２】
また、雨樋の施工後、雨水の流路にゴミが詰まるなどして、軒樋４と竪樋５の何れかを交換して雨樋を修理する必要が生じたときは、上合２に固定されていた受水升３を取り外して両部材を分離することで、一方の部材のみを交換して修理することが可能である。受水升３を上合２から分離させる操作は、係合部２７が受水升３の後壁面３２に係合している状態で、図７中の矢印で示されるように、受水升３の内側から係止爪２７ｃを排水口２５の内方へ押すことにより行われ、突片部２７ｂが弾性変形して係合部２７の係合が解除され、係合が解除した状態で受水升３を引き抜けば、上合２から分離させることができる。
【００２３】
図８及び図９は、本発明の他の形態の軒樋排水装置１を示しており、これは、上合２の排水口２５の輪郭に沿って設けた突枠部２６中であって、その上辺寄りの左右側辺にそれぞれ係合部２７，２７を設けたものである。
係合部２７を設けた位置が異なる以外は、係合部２７がスリット２７ａ，２７ａ間に係止爪２７ｃ付きの突片部２７ｂにより構成されていることも含めて、上合２と受水升４は前記実施形態と同様の形態である。
【００２４】
これによれば、軒樋４，４が接続された上合２に、竪樋５が接続された受水升３を、その開口３３が上合２の突枠部２６に向き合うように配置した状態で、図１０（Ａ）に示されるように、受水升３をその開口３３の周縁部が突枠部２６の上端に接するように宛がいつつ開口３３の周縁部を突枠部２６の上端に当接させたまま上合２側へ押し込めば、突枠部２６の左右両側の係合部２７，２７の突片部２７ｂ、２７ｂが受水升３の開口３３の縁部に押されて排水口２５の内方へ弾性変形し、さらに係止爪２７ｃ，２７ｃが前記開口３３の縁部を乗り越えるまで受水升３を押し込むと、同図（Ｃ）に示されるように、突片部２７ｂ，２７ｂが排水口２５の外方へ弾性変形して、係止爪２７ｃ，２７ｃが開口３３の縁部内面である受水升３の後壁面３２の内側に係合し、これにより、その開口３３を突枠部２６の外周に篏合させた位置に受水升３を固定して上合２に取り付けることができる。
一方、係合部２７，２７が受水升３の後壁面３２に係合している状態で、受水升３の内側から係止爪２７ｃ，２７ｃを排水口２５の内方へ押して突片部２７ｂ，２７ｂが弾性変形させれば係合部２７，２７の係合は解除除され、係合が解除した状態で受水升３を引き抜けば、上合２から分離させることが可能である。
【００２５】
なお、図示した形態は、軒樋排水装置の実施形態を例示したものであり、本発明はこれらに限定されず、他の適宜な形態に構成することが可能である。上合や受水升の形状は、これに接続する軒樋や竪樋の形状に対応した形状に設けることが可能である。
【符号の説明】
【００２６】
１  軒樋排水装置、２  上合、２１  底面部、２２  前壁面、２３  後壁面  ２４  接続口、２５  排水口、２６  突枠部、２７  係合部、２７ａ  スリット、２７ｂ  突片部、２７ｃ  係止爪、３  受水升、３１  接続口、３２  後壁面、３３  開口、４  軒樋、５  竪樋
【図１】
2019035270.tif 000003
【図２】
2019035270.tif 000004
【図３】
2019035270.tif 000005
【図４】
2019035270.tif 000006
【図５】
2019035270.tif 000007
【図６】
2019035270.tif 000008
【図７】
2019035270.tif 000009
【図８】
2019035270.tif 000010
【図９】
2019035270.tif 000011
【図１０】
2019035270.tif 000012